(57)【特許請求の範囲】
【請求項１】
メダルを投入し、ピンパネル上に配置された各種のチェッカーを通過させることにより、入賞などを発生させてメダルの払い出しを行うメダルゲーム機において、
スロット表示部およびスタートチェッカーが配置され、全面すべてが開閉可能なピンパネルを有する第１のメダルゲーム面と、
前記ピンパネルが開いたとき、前方に進出させられ、メダル通過毎に払い出しが行われる払い出しチェッカーおよびピンパネルのオープン残り時間を表示する時間表示部を有する第２のメダルゲーム面とを備え、
前記スタートチェッカーをメダルが通過することにより、前記スロット表示部のスロットが回転を開始し、回転停止時の出目が所定の条件を満したとき、前記ピンパネルが開いて前記第２のメダルゲーム面が現われるとともに前記時間表示部にオープン残り時間を表示し、第２のメダルゲーム面が開いている間に投入したメダルが前記払い出しチェッカーを通過することによりメダルを払い出し、タイムアウトになったとき、前記ピンパネルを閉じるように構成したことを特徴とするピンパネル開閉機構を有するメダルゲーム機。
【請求項２】
前記第２のメダルゲーム面は、第２ピンパネルが前方に進出し、
前記第２ピンパネルには、メダルを通過するごとに払い出しが発生し、かつ、それぞれレベルが決められた複数のレベルチェッカーを配置し、
メダルが通過したレベルチェッカーの種類に応じてオープンボーナス終了後の払い出しレベルを決定し、
オープンボーナス終了後に回転払い出し機構が動作し、追加払い出しを行うように構成したことを特徴とする請求項１記載のピンパネル開閉機構を有するメダルゲーム機。
【請求項３】
前記第２のメダルゲーム面は、前記ピンパネルが開いたとき、時間表示部にオープン残り時間を表示するとともに回転円盤およびメダルチューブを前方に進出させて前記回転円盤に搭載されている複数のチェッカーを公転させ、メダルが投入され前記メダルチューブを通って前記チェッカーを通過するごとに払い出しが発生し、かつ、レベルチェッカーを通過したメダルの枚数に応じてオープンボーナス終了後の払い出しレベルを決定し、
オープンボーナス終了後に回転払い出し機構が動作し、追加払い出しを行うように構成したことを特徴とする請求項１記載のピンパネル開閉機構を有するメダルゲーム機。
【請求項４】
前記第１のメダルゲーム面のピンパネルには、オープンチェッカーが配置され、前記オープンチェッカーをメダルが通過したとき、前記スタートチェッカーの開口付近に設けられたウイングを開くように構成したことを特徴とする請求項１記載のピンパネル開閉機構を有するメダルゲーム機。
【請求項５】
前記スロット表示部の出目の数字が横一線で一致したとき、一致した数字対応の時間、前記ピンパネルを開くように構成したことを特徴とする請求項１記載のピンパネル開閉機構を有するメダルゲーム機。
【発明の詳細な説明】
【０００１】
【発明の属する技術分野】
本発明は、メダルを投入し、ピンパネル上に配置された各種のチェッカーを通過させることにより、入賞などを発生させてメダルの払い出しを行うメダルゲーム機に関する。
【０００２】
【従来の技術】
メダルを投入して多くのメダルの払い出しを楽しめるメダルゲーム機が広く普及している。その中で、多数のピンを植設し、オープンチェッカー，払い出しチェッカー，風車などを配置したピンパネル面にメダルを落下させるタイプのものが存在する。
この種のメダルゲーム機において、ピンパネルの一部が扉状に開閉する機能を有するものがあるが、ピンパネル自体が開閉機能を持つものは存在しない。
【０００３】
【発明が解決しようとする課題】
また、ピンパネルの背後にモニタを設置し、映像を変えることにより疑似的に複数のゲームフィールドを演出するゲーム機があるが、これらは映像の上でしか実現することができない。
このような状況から、従来タイプのメダルゲーム機では、さらにゲーム性を付加し、その遊び方の種類を増加させ内容の充実を図ることには限度があった。
本発明は上記背景を考慮するもので、その目的は通常時とは異なるゲームフィールドを別途構築し、機構的に異なる２種類以上のゲームフィールドを使い分けることにより、さらにバラエティに富んだ内容の濃いゲームが行えるピンパネル開閉機構を有するメダルゲーム機を提供することにある。
【０００４】
【課題を解決するための手段】
前記目的を達成するために本発明によるピンパネル開閉機構を有するメダルゲーム機は、メダルを投入し、ピンパネル上に配置された各種のチェッカーを通過させることにより、入賞などを発生させてメダルの払い出しを行うメダルゲーム機において、スロット表示部およびスタートチェッカーが配置され、全面すべてが開閉可能なピンパネルを有する第１のメダルゲーム面と、前記ピンパネルが開いたとき、前方に進出させられ、メダル通過毎に払い出しが行われる払い出しチェッカーおよびピンパネルのオープン残り時間を表示する時間表示部を有する第２のメダルゲーム面とを備え、前記スタートチェッカーをメダルが通過することにより、前記スロット表示部のスロットが回転を開始し、回転停止時の出目が所定の条件を満したとき、前記ピンパネルが開いて前記第２のメダルゲーム面が現われるとともに前記時間表示部にオープン残り時間を表示し、第２のメダルゲーム面が開いている間に投入したメダルが前記払い出しチェッカーを通過することによりメダルを払い出し、タイムアウトになったとき、前記ピンパネルを閉じるように構成されている。
本発明における前記第２のメダルゲーム面は、第２ピンパネルが前方に進出し、前記第２ピンパネルには、メダルを通過するごとに払い出しが発生し、かつ、それぞれレベルが決められた複数のレベルチェッカーを配置し、メダルが通過したレベルチェッカーの種類に応じてオープンボーナス終了後の払い出しレベルを決定し、オープンボーナス終了後に回転払い出し機構が動作し、追加払い出しを行うように構成されている。
また、本発明における前記第２のメダルゲーム面は、前記ピンパネルが開いたとき、時間表示部にオープン残り時間を表示するとともに回転円盤およびメダルチューブを前方に進出させて前記回転円盤に搭載されている複数のチェッカーを公転させ、メダルが投入され前記メダルチューブを通って前記チェッカーを通過するごとに払い出しが発生し、かつ、レベルチェッカーを通過したメダルの枚数に応じてオープンボーナス終了後の払い出しレベルを決定し、オープンボーナス終了後に回転払い出し機構が動作し、追加払い出しを行うように構成されている。
本発明における前記第１のメダルゲーム面のピンパネルには、オープンチェッカーが配置され、前記オープンチェッカーをメダルが通過したとき、前記スタートチェッカーの開口付近に設けられたウイングを開くように構成されている。
さらに、本発明は、前記スロット表示部の出目の数字が横一線で一致したとき、一致した数字対応の時間、前記ピンパネルを開くように構成されている。
【０００５】
【発明の実施の形態】
以下、図面を参照して本発明の実施の形態を詳しく説明する。
図１は、本発明によるピンパネル開閉機構を有するメダルゲーム機の外観を示す斜視図である。このゲーム機は１台で２つのゲームを楽しめるものである。
メダルゲーム本体１ａの上部には、メダルを投入するための投入口２が２つ設けられている。前面下部には払い出されるメダルの受け皿３が設けられている。前面中央に第１のメダルゲーム面が備えられ、第１ピンパネル４が配設されている。第１ピンパネル４上の中央にはスロット表示部５，左右の扉にはそれぞれオープンチェッカー６とスタートチェッカー７が配置されている。
【０００６】
図２は、図１の第１のメダルゲーム面であるピンパネルの実施の形態を示す概略図である。
第１ピンパネル４は、観音開きの左扉４ａと右扉４ｂとを有し、中央にスロット表示部５が配置されている。このスロット表示部５はピンパネルが開いたときには、第２ゲーム面の残り時間やレベルを表示する表示部として用いられる。
左扉４ａと右扉４ｂには、多数のピン９が植設されており、メダルはこれらピンに当ったり、整列させられたピンに誘導されたりすることにより落下するときの経路を変える。オープンチェッカー６は、この部分にメダルが通過した場合、スタートチェッカー７に設けられているウイング７ａを開き、スタートチェッカー７にメダルが飛び込み易いようにする。スタートチェッカー７はメダルが通過するとスロット表示部５のスロットの回転をスタートさせる。
【０００７】
スロット表示部５のスロットの出目は、絵柄が横一線に揃った場合、子役入賞役が発生する。また、数字が揃った場合には、ピンパネルの左扉４ａと右扉４ｂが全開するオープンボーナスが発生する。左右の扉が開いている時間は、つぎの通りである。
１１１＝１１．１秒間オープン
２２２＝２２．２秒間オープン
３３３＝３３．３秒間オープン
５５５＝５５．５秒間オープン
７７７＝７７．７秒間オープン
【０００８】
パネル下部には回転式ボーナス払い出し機構１２が配設されている。
この回転式ボーナス払い出し機構１２から払い出されたメダルは、第１の払い出し台２３ａに払い出される。第１の払い出し台２３ａ，第２の払い出し第２３ｂが前後に動くことにより、第１の払い出し台２３ａで押し出されたメダル８は、第２の払い出し台２３ｂに落下し、さらに第２の払い出し台２３ｂで押し出されたメダル８は第３の払い出し台２３ｃに落下し、払い出し台２３ｃで押し出されたメダルはメダル受け皿に払い出される。
【０００９】
図３は、図１の第２のメダルゲーム面の実施の形態を示す概略図で、第２ピンパネルの場合である。
図４に示すように第１のメダルゲーム面が開いていない状態では、第１ピンパネル４の背後に第２ピンパネル１３が収納されている。図５に示すようにピンパネルの左扉４ａと右扉４ｂが全開すると、第２ピンパネル１３は第１ピンパネルの位置まで前進する。図３はこのときの状態を示したものである。
【００１０】
第２ピンパネル１３の中央の表示部は、時間・レベル表示部１４として機能する。回転体２４に２つの回転タイプレベルチェッカー１５が設けられ、回転体２４は中心２４ａを軸として回っている。回転体２４は２個配置されている。さらに最下部には３つの固定タイプレベルチェッカー１６が配置されている。第２ピンパネルのせり出しが完了するまでは、メダル投入口のシャッタを封鎖しメダルを受け付けない。せり出しが完了すると、メダル投入が可能になる。レベルチェッカー１５，１６はレベル１〜５のチェッカーがあり、メダル通過毎に払い出しが発生する。また、通過したレベルチェッカーの種類に応じてオープンボーナス終了後の払い出しレベルが決定する。
オープンボーナス終了後、追加払い出しが行われる。オープンボーナス中に通過したレベルチェッカのレベルに合わせ、回転払い出し機構が動作する。
【００１１】
図６は、各レベルのときの回転式ボーナス払い出し機構の払い出し容器の回転具合を示す図である。
レベル０では、５つの容器のいずれも動いていない。レベル１になると中央の容器１２ｃが少し傾き、傾きに対応した量のメダルが払い出される。レベル２では容器１２ｃは９０度程度傾き、容器１２ｂは少し傾く。レベル３では容器１２ｃの傾きは１３５度程度となり、容器１２ｂは９０度，容器１２ｄは４５度程度傾く。このようにしてレベル５までになると各容器の傾き量が大きくなりメダルが追加払い出しされる。追加払い出しされたメダルは、図５の下部に示すように第１の払い出し台２３ａ，第２の払い出し台２３ｂ，第３の払い出し台２３ｃを経てメダル受け皿３に達する。
【００１２】
図７は、図１の第２のゲーム面の他の実施の形態を示す概略図である。
この実施の形態は、ピンパネルではなく、チェッカーが搭載された回転円盤がせり出すタイプのものである。
図８に示すように第１のメダルゲーム面が開いていない状態では、第１ピンパネル４の背後にチェッカーが搭載された回転円盤２２が収納されている。出目に数字が揃うと、図９に示すようにピンパネルの左扉４ａと右扉４ｂが全開しエンジェル人形型のチェッカー２１が搭載された回転円盤２２とメダルチューブ２０ａ，２０ｂがせり出す。せり出しが終了するまでメダル投入口のシャッターを封鎖し、メダル通路１０ａ，１０ｂへのメダルを受け付けない。せり出し動作が終了するとメダル投入が可能になる。
【００１３】
メダルチューブ２０ａ，２０ｂは、メダル通路１０ａ，１０ｂに繋がる位置まで前進する。エンジェル人形型チェッカー２１は１２０度間隔で３個搭載されており、エンジェル人形の頭部がチェッカーになっている。エンジェル人形型チェッカー２１がメダルチューブ２０ａ，２０ｂの真下に達したときメダルを投入すると、メダルが通過する。メダル通過毎に払い出しが発生する。また、通過したメダルの枚数に応じてオープンボーナス終了後の払い出しレベルが決定する。オープンボーナス終了後、図３の実施の形態と同様、追加払い出しが行われる。オープンボーナス中に通過したレベルチェッカーのレベルに合わせ、回転払い出し機構が動作する。
【００１４】
以上、第２のゲーム面として第２ピンパネルおよびエンジェル人形型チェッカーを搭載した回転円盤をせり出すタイプの実施の形態について説明したが、本発明はこれに限るものではなく、他のメダルゲーム面をせり出すようにしても良い。
【００１５】
【発明の効果】
以上、説明したように本発明は、異なる２種類のゲームフィールドを使い分けることにより、状況に合わせて異なる２種類のゲームを実現できるため、プレイヤの興味をさらに増すことができる。
また、ピンパネルの開閉により異なるゲームフィールドをプレイヤおよびギャラリーの前に出現させることにより、ゲームフィールドおよびゲーム内容の変化を明確にし、従来とは異なるゲームを提供できるという効果がある。
【図面の簡単な説明】
【図１】本発明によるピンパネル開閉機構を有するメダルゲーム機の外観を示す斜視図である。
【図２】  図１の第１のメダルゲーム面であるピンパネルの実施の形態を示す概略図である。
【図３】図１の第２のメダルゲーム面の実施の形態を示す概略図で、第２ピンパネルの場合である。
【図４】ピンパネルが開く前のメダルゲーム機の側面端面図である。
【図５】ピンパネルが開いた後のメダルゲーム機の側面端面図である。
【図６】各レベルのときの回転式ボーナス払い出し機構の払い出し容器の回転具合を示す図である。
【図７】図１の第２のゲーム面の他の実施の形態を示す概略図である。
【図８】図７の第２のゲーム面が開く前のメダルゲーム機の側面端面図である。
【図９】図７の第２のゲーム面が開いた後のメダルゲーム機の側面端面図である。
【符号の説明】
１  ピンパネル開閉機構を有するメダルゲーム機
２  メダル投入口
３  メダル受け皿
４  第１ピンパネル
５  スロット表示部
６  オープンチェッカー
７  スタートチェッカー
８  メダル
９  ピン
１０ａ，１０ｂ  メダル通路
１１  演出ベル
１２  回転式ボーナス払い出し機構
１３  第２ピンパネル
１４，１９  時間・レベル表示部
１５  回転タイプレベルチェッカー
１６  固定タイプレベルチェッカー
２０ａ，２０ｂ  メダルチューブ
２１  エンジェル人形型チェッカー
２２  回転円盤
２３ａ，２３ｂ，２３ｃ  払い出し台
２４  回転体
【図１】
0003897549.tif 000002
【図２】
0003897549.tif 000003
【図３】
0003897549.tif 000004
【図４】
0003897549.tif 000005
【図５】
0003897549.tif 000006
【図６】
0003897549.tif 000007
【図７】
0003897549.tif 000008
【図８】
0003897549.tif 000009
【図９】
0003897549.tif 000010